【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
３次元（３Ｄ）オブジェクトの生成のために情報の記録を生成する方法において、
処理装置により、
３Ｄオブジェクトについての複数の構造パラメータを受信することと、
３Ｄ印刷装置のプロセッサによって実行されたときに複数の層状に造形材料を堆積させて前記造形材料を硬化させることによって前記複数の構造パラメータを示す３Ｄオブジェクトを前記３Ｄ印刷装置に形成させるように構成された命令セットを開発するように前記複数の構造パラメータを使用することと、
前記命令セットにおいて、
複数の物理的表現として表されたデータ構造、及び、
前記３Ｄ印刷装置のプロセッサによって実行されたときに前記３Ｄオブジェクトにおける前記データ構造を表す前記物理的表現の少なくとも１つのコピーを前記３Ｄ印刷装置に付与させる命令を含むことと、
データファイルに前記命令セットを保存することとを備える、方法。
【請求項２】
さらに、
前記３Ｄ印刷装置のプロセッサにより、前記命令セットに基づいて、前記３Ｄオブジェクトに付与された前記データ構造を表す前記物理的表現を有する前記３Ｄオブジェクトを形成する前記命令セットを実行することを備える、請求項１に記載の方法。
【請求項３】
前記３Ｄオブジェクトを形成する際に前記３Ｄオブジェクトにおける前記データ構造を表す前記物理的表現の少なくとも１つのコピーを前記３Ｄ印刷装置に付与させる命令が、
前記３Ｄオブジェクトの少なくとも１つの外表面、又は、
前記３Ｄオブジェクトの少なくとも１つの内部体積
のうちの少なくとも１つにおける第２の複数の構造パラメータとして表される前記データ構造の少なくとも１つのコピーを付与する命令を備える、請求項１に記載の方法。
【請求項４】
前記命令セットを開発することが、
前記データ構造を生成するための情報を受信することと、
前記受信した情報からデータを生成することと、
前記データ構造を表すためのスキーマを特定することと、
前記生成したデータ及び前記特定したスキーマを含む前記データ構造を生成することと、
前記３Ｄオブジェクトについてのデータ容量を判定することと、
前記データ構造を表すための複数の物理的表現のうちの少なくとも１つを特定することと、
複数の物理的表現のうちの前記特定された少なくとも１つ、前記判定されたデータ容量又はその両方にしたがって前記３Ｄオブジェクトに配置するために前記データ構造をフォーマットすることとを備える、請求項１に記載の方法。
【請求項５】
前記データ容量を判定することが、
前記３Ｄオブジェクトの少なくとも１つの表面についての表面積、又は、
前記３次元オブジェクトの少なくとも１つの内側部分の体積のうちの少なくとも１つを含む総面積を計算することと、
前記３Ｄ印刷装置についての解像度パラメータを特定することと、
前記総面積及び前記解像度パラメータを使用して前記データ容量を判定することとを備える、請求項４に記載の方法。
【請求項６】
さらに、前記データ容量を判定するために、
前記３Ｄオブジェクトから前記データ構造を抽出するための３Ｄスキャナの種類、
前記データ構造に関連する複数の属性であって、
前記生成したデータのフォーマット、
前記特定したスキーマのフォーマット、
データ構造の数、又は、
前記データ構造のコピーの数のうちの１つ以上を備える属性、
ユーザ定義基準、
前記データ構造を表す前記複数の物理的表現のうちの前記特定した少なくとも１つの物理的表現の種類、又は、
前記受信した情報の種類、
のうちの少なくとも１つを使用することを備える、請求項５に記載の方法。
【請求項７】
前記データ構造をフォーマットすることが、
前記複数の物理的表現のうちの前記少なくとも１つの物理的表現のサイズと、
前記３Ｄオブジェクトにおける前記複数の物理的表現のうちの前記少なくとも１つの物理的表現の位置とを判定することを備える、請求項４に記載の方法。
【請求項８】
前記３Ｄオブジェクトにおける前記データ構造を表す前記物理的表現の前記少なくとも１つのコピーを付与する前記命令が、
前記データ構造のための必要な保護のレベルを判定し、
前記必要な保護のレベルが閾値レベル未満であると判定された場合に、前記３Ｄオブジェクトの少なくとも１つの外表面に前記物理的表現を付与するための命令を備える、請求項３に記載の方法。
【請求項９】
前記３Ｄオブジェクトにおける前記データ構造を表す前記物理的表現の前記少なくとも１つのコピーを付与する命令が、
前記データ構造のための必要な保護のレベルを判定し、
前記必要な保護のレベルが閾値レベル超であると判定された場合に、前記３Ｄオブジェクトにおける前記物理的表現を付与するための命令を備える、請求項３に記載の方法。
【請求項１０】
さらに、前記生成したデータ又は前記データ構造の少なくとも一部を暗号化することを備える、請求項４に記載の方法。
【請求項１１】
前記複数の物理的表現が、空洞又は隆起領域を含み、各空洞又は隆起領域のサイズが、前記データ構造内のデータポイントの値を表し、
前記データ構造の少なくとも１つのコピーを前記３Ｄ印刷装置に付与させる前記命令が、前記造形材料が前記データ構造内の全てのデータポイントの値に対応するサイズを有する複数の空洞又は隆起領域を含むように前記３Ｄオブジェクトを構築する命令を備える、請求項１に記載の方法。
【請求項１２】
３次元（３Ｄ）オブジェクトにおいてデータベースを埋め込むためのシステムにおいて、
処理装置と、
前記処理装置によって実行されたときに前記処理装置に、
３Ｄオブジェクトについての複数の構造パラメータを受信させ、
３Ｄ印刷装置のプロセッサによって実行されたときに複数の層状に造形材料を堆積させて前記造形材料を硬化させることによって前記複数の構造パラメータを示す３Ｄオブジェクトを前記３Ｄ印刷装置に形成させるように構成された命令セットを開発するように前記複数の構造パラメータを使用させ、
前記命令セットにおいて、
複数の物理的表現として表されたデータ構造、及び、
前記３Ｄ印刷装置のプロセッサによって実行されたときに前記３Ｄオブジェクトにおける前記物理的表現の少なくとも１つのコピーを前記３Ｄ印刷装置に付与させる命令を含ませ、
データファイルに前記命令セットを保存させるプログラミング命令を含むコンピュータ読み取り可能なメモリとを備える、システム。
【請求項１３】
さらに、
前記３Ｄ印刷装置と、
前記３Ｄ印刷装置のプロセッサによって実行されたときに前記３Ｄオブジェクトに付与された前記データ構造の少なくとも１つのコピーを用いて前記３Ｄオブジェクトを形成する前記命令セットを前記３Ｄ印刷装置に実行させる追加のプログラミング命令とを備える、請求項１２に記載のシステム。
【請求項１４】
前記物理的表現の少なくとも１つのコピーを前記３Ｄ印刷装置に付与させる前記命令が、
前記３Ｄオブジェクトの少なくとも１つの外表面、又は、
前記３Ｄオブジェクトの少なくとも１つの内部体積
のうちの少なくとも１つにおける前記物理的表現を付与する命令を備える、請求項１２に記載のシステム。
【請求項１５】
前記命令セットを開発するための前記命令が、
前記データ構造を生成するための情報を受信し、
前記受信した情報からデータを生成し、
前記データ構造を表すためのスキーマを特定し、
前記生成したデータ及び前記特定したスキーマを含む前記データ構造を生成し、
前記３Ｄオブジェクトについてのデータ容量を判定し、
前記データ構造を表すための複数の物理的表現のうちの少なくとも１つを特定し、
複数の物理的表現のうちの前記特定された少なくとも１つ、前記判定されたデータ容量又はその両方にしたがって前記３Ｄオブジェクトに配置するために前記データ構造をフォーマットするための命令を備える、請求項１２に記載のシステム。
【請求項１６】
前記データ容量を判定する前記命令が、
前記３Ｄオブジェクトの少なくとも１つの表面についての表面積、又は、
前記３Ｄオブジェクトの少なくとも１つの内側部分の体積
のうちの少なくとも１つを含む総面積を計算し、
前記３Ｄ印刷装置についての解像度パラメータを特定し、
前記総面積及び前記解像度パラメータを使用して前記データ容量を判定するための命令を備える、請求項１５に記載のシステム。
【請求項１７】
前記物理的表現が、空洞又は隆起領域を含み、各空洞又は隆起領域のサイズが、前記データ構造内のデータポイントの値を表し、
前記物理的表現の少なくとも１つのコピーを前記３Ｄ印刷装置に付与させる前記命令が、前記造形材料が前記データ構造内の全てのデータポイントの値に対応するサイズを有する複数の空洞又は隆起領域を含むように前記３Ｄオブジェクトを構築する命令を備える、請求項１２に記載のシステム。
【請求項１８】
前記物理的表現が金属粒子を含み、
前記物理的表現の少なくとも１つのコピーを前記印刷装置に付与させる前記命令が、前記データ構造に対応する構成において前記造形材料に金属粒子を埋め込む命令を備える、請求項１２に記載のシステム。
【請求項１９】
３次元（３Ｄ）オブジェクトにおいてデータベースを埋め込むためのシステムにおいて、
３Ｄ印刷装置と、
造形材料の複数の層を堆積し、
１つ以上の層において、データ構造を表す複数の物理的表現を含むことにより、プロセッサによって実行されたときに埋め込まれたデータ構造を有する３Ｄオブジェクトを前記３Ｄ印刷装置に形成させる命令を含む構築シーケンスを記憶するコンピュータ読み取り可能なメモリとを備える、システム。
【請求項２０】
前記物理的表現が空洞又は隆起領域を含み、各空洞又は隆起領域のサイズが、前記データ構造内のデータポイントの値を表し、
埋め込まれたデータ構造を有する前記３Ｄオブジェクトを前記３Ｄ印刷装置に形成させる命令が、前記造形材料が前記データ構造内の全てのデータポイントの値に対応するサイズを有する複数の空洞又は隆起領域を含むように前記３Ｄオブジェクトを構築するための命令を備える、請求項１９に記載のシステム。
【請求項２１】
前記物理的表現が金属粒子を含み、
前記埋め込まれたデータ構造を有する前記３Ｄオブジェクトを前記３Ｄ印刷装置に形成させる命令が、前記データ構造に対応する構成において前記造形材料に金属粒子を埋め込む命令を備える、請求項１９に記載のシステム。